(57)【特許請求の範囲】
【請求項１】
無線通信による無線タグへの電波の送信および該無線タグからの受信により該無線タグの蓄積情報を読み取る無線タグリーダにおいて、近接の無線タグの蓄積情報を読み取る第１の読み取り手段と、所定の無線タグの蓄積情報を予め記憶し、前記第１の読み取り手段で読み取った蓄積情報が前記予め記憶した無線タグの蓄積情報であったならば、遠方の無線タグの蓄積情報を読み取る第２の読み取り手段と、前記第１の読み取り手段および前記第２の読み取り手段が読み取ったデータを蓄積するデータ蓄積手段と、前記データ蓄積手段が蓄積したデータを、データ収集装置に転送するデータ転送手段と、を具備することを特徴とする無線タグリーダ。
【発明の詳細な説明】
【技術分野】
【０００１】
本発明は、無線タグの持つ蓄積情報を読み取る無線タグリーダにおいて、移動する人や物の位置を管理するための技術に関する。
【背景技術】
【０００２】
移動体の位置情報を提供するシステムとして、所定の場所に配置された複数の無線タグリーダと、移動体に取り付けられる無線タグを用いることにより、移動体の位置情報を位置情報提供装置に提供してきた。
【０００３】
具体的には、移動体が移動して、移動体が複数の無線タグリーダのうちの一の無線タグリーダの所定の範囲に入った場合に、該一の無線タグリーダが移動体に取り付けられる無線タグの固有情報を読み取ることで、移動体の位置情報を位置情報提供装置に提供してきた。
【０００４】
【特許文献１】特開２００４−３１２２８９号公報
【発明の開示】
【発明が解決しようとする課題】
【０００５】
上記移動体の位置情報を提供するシステムを、例えば巡回警備システムに適用しようとした場合、巡回途中および最後の複数の場所に各々無線タグリーダを配置しなければならず、しかも各々の無線タグリーダからデータ位置情報提供装置（データ収集装置）に提供しなければならないため、システム自体がおおがかりとなり、高価となる。
【０００６】
そのため、巡回警備システム等においては、警備員が無線タグリーダを携帯し、該無線タグリーダがその警備員自身がＩＤカード等に保持している近接の無線タグを読み取るとともに、警備員が巡回する箇所に設置の遠方の無線タグを読み取り、該無線タグリーダがデータ位置情報提供装置（データ収集装置）に提供（転送）することが望ましい。
【０００７】
本発明の目的は、巡回警備システム等無線タグ応用の各種システムにおいて、簡素で安価なシステムを達成可能な無線タグリーダを提供することにある。
【課題を解決するための手段】
【０００８】
上記課題を解決するため、本発明は、無線通信による無線タグへの電波の送信および該無線タグからの受信により該無線タグの蓄積情報を読み取る無線タグリーダにおいて、近接の無線タグの蓄積情報を読み取る第１の読み取り手段と、所定の無線タグの蓄積情報を予め記憶し、前記第１の読み取り手段で読み取った蓄積情報が前記予め記憶した無線タグの蓄積情報であったならば、遠方の無線タグの蓄積情報を読み取る第２の読み取り手段と、前記第１の読み取り手段および前記第２の読み取り手段が読み取ったデータを蓄積するデータ蓄積手段と、前記データ蓄積手段が蓄積したデータを、データ収集装置に転送するデータ転送手段と、を具備することを特徴とする。
【発明の効果】
【００１１】
本発明によれば、巡回警備システム等無線タグ応用の各種システムにおいて、簡素で安価なシステムを達成可能な無線タグリーダを得ることができる。
【発明を実施するための最良の形態】
【００１２】
本発明の実施の形態を添付図面に基づいて詳細に説明する。
【００１３】
図１は、本発明による無線タグリーダを含むシステムの例として警備員巡回システムの全体構成図である。警備員巡回システムを例に説明するが、本発明はこれに限るものではない。遊園地や博物館等での顧客管理、幼稚園や学校等での生徒や先生の管理等、一般に誰がどこに居るかまたは居たか等の管理データやマーケティングに向け行動データ取得等に広く適用可能である。
【００１４】
図１において、１は本発明である無線タグリーダ、２は近接の無線タグＡを内蔵した個人認証用ＩＤカード、３は通路のＢ地点に設置された遠方の無線タグＢ、４は通路のＣ地点に設置された遠方の無線タグＣ、５は遠方タグの無線タグＢ３に接近した警備員、６は遠方の無線タグＣ４に接近した警備員、７は無線タグリーダ１から転送されてくる情報を保管するためのデータ収集装置であり、通路の入り口である図１の下方にいる警備員が、通路のＢ地点から通路のＣ地点に巡回する場合を示す。
【００１５】
図２は、本発明による無線タグリーダの構成例を示す図である。
【００１６】
図２において、８は送受信用のアンテナである。９は受信用ＲＦ部で、近接の無線タグの蓄積情報受信部１０と遠方の無線タグの蓄積情報受信部１１を具備する。１２は送信用ＲＦ部で、近接の無線タグ起動用電波送信部１３と遠方の無線タグ起動用電波送信部１４を具備する。なお、近接の無線タグ起動用電波送信部１３と遠方の無線タグ起動用電波送信部１４は異なる無線周波数としてもよい。
【００１７】
近接の無線タグ起動用電波送信部１３と近接の無線タグの蓄積情報受信部１０で近接の無線タグの読取手段を構成し、遠方の無線タグ起動用電波送信部１４と遠方の無線タグの蓄積情報受信部１１で遠方の無線タグの読取手段を構成する。
【００１８】
１５は制御部で、送信用ＲＦ部１２にて送信する電波を切替る送信電波切替手段１６と、受信用ＲＦ部９内の受信部を切替る受信部切替手段１７と、受信用ＲＦ部９にて受信する電波から取得した取得情報を取得情報保存部２０へ保存するための管理手段１８と、取得情報保存部２０へ保存した取得情報をデータ転送部２１からデータ収集装置７（図１）に転送するための転送手段１９を具備する。
【００１９】
データ転送部２１はデータ収集装置７へデータを転送する通信手段であり、例えば無線ＬＡＮ，構内ＰＨＳ等が適用可能である。
【００２０】
図３は、図１の警備員巡回システムにおける図１，図２の無線タグリーダ１の動作を示すフローチャート図である。すなわち、本フローチャート図は、図１に示す警備員が無線タグリーダ１を携帯して、通路の入り口である図１の下方から、通路の中央に設置された遠方の無線タグＢ３に接近し、次いで通路の奥に設置された遠方の無線タグＣ４に接近して通路を巡回する場合の無線タグリーダ１の動作を示す図である。
【００２１】
ステップ３０１においては、図１に示す警備員が無線タグリーダ１を持出す際、所定の操作（電源オン等）をすることで、図２における送信用ＲＦ部１２内の近接の無線タグ起動用電波送信部１３を起動する。
【００２２】
ステップ３０２においては、アンテナ８より、図１における警備員が身に保持している個人認証用ＩＤカード２に内蔵された近接の無線タグＡの起動に必要な電波を送信する。このことで近接の無線タグＡが起動する。
【００２３】
ステップ３０３においては、図２における受信用ＲＦ部９内の近接の無線タグの蓄積情報受信部１０を起動する。
【００２４】
ステップ３０４においては、図１の近接の無線タグＡから送信される近接の無線タグＡの蓄積情報を、図２におけるアンテナ８を通して受信用ＲＦ部９内の近接の無線タグの蓄積情報受信部１０で受信して取得する。
【００２５】
ステップ３０５においては、図２における制御部１５の管理手段１８で、取得した近接の無線タグＡの蓄積情報を正しく取得できたか否かを判断する。例えば、無線タグからの無線電波強度が所定の閾値を超えている場合に取得情報ＯＫとする。取得情報ＯＫでない場合はステップ３０４に戻る。
【００２６】
ステップ３０６においては、取得情報ＯＫの場合で、図２における制御部１５の管理手段１８は、取得した近接の無線タグＡの蓄積情報に日時を付けて取得情報保存部２０に保存する。なおステップ３０６において、近接の無線タグＡが許可された者であるか否かを認証し、もし許可された者でない場合はアラームを発するようにしてもよい。
【００２７】
ステップ３０７においては、図２における制御部１５の送信電波切替手段１６により、送信用ＲＦ部１２中の遠方の無線タグ起動用電波送信部１４を起動する。
【００２８】
ステップ３０８においては、アンテナ８より、図１における遠方の無線タグＢ３，Ｃ４の起動のための電波を送信する。
【００２９】
ステップ３０９においては、図２における受信部切替手段１７により、受信用ＲＦ部９中の遠方の無線タグの蓄積情報受信部１１を起動する。
【００３０】
ステップ３１０においては、図１の遠方の無線タグＢ３から送信される遠方の無線タグＢ３の蓄積情報を、図２におけるアンテナ８を通して受信用ＲＦ部９中の遠方の無線タグの蓄積情報受信部１１で受信して取得する。
【００３１】
ステップ３１１においては、図２における制御部１５の管理手段１８で、遠方の無線タグＢ３の蓄積情報を取得した時の無線電波強度が所定の閾値を超えているかを認証し、超えている場合に取得情報ＯＫとする。取得情報ＯＫでない場合はステップ３１０に戻る。図１においては、通路における警備員５が遠方の無線タグＢ３に接近することで取得情報ＯＫとなる。
【００３２】
ステップ３１２においては、取得情報ＯＫの場合で、図２における制御部１５の管理手段１８は、取得した遠方の無線タグＢ３の蓄積情報に日時を付けて取得情報保存部２０に保存する。
【００３３】
ステップ３１３においては、図２における制御部１５の転送手段１９で、取得情報保存部２０に保存した近接の無線タグＡと遠方の無線タグＢ３の蓄積情報を、データ転送部２１からデータ収集装置７（図１）に転送する。
【００３４】
ステップ３１４においては、終了条件を満たしたかを認証し、満たした場合に終了条件ＯＫとして終了とするが、終了条件ＯＫでない場合はステップ３１０に戻る。
【００３５】
ここで、終了条件であるが、今、警備員は通路における警備員５の位置すなわちＢ地点に設置された遠方の無線タグＢ３に接近している場合であり、通路におけるこの遠方の無線タグＢ３の奥のＣ地点には別の遠方の無線タグＣ４が設置されているため、終了条件ＯＫでなく、したがってステップ３１０に戻る。
【００３６】
通路における警備員５は、さらに遠方の無線タグＣ４の方へ移動する。
【００３７】
ステップ３１０においては、図１の遠方の無線タグＣ４から送信される遠方の無線タグＣ４の蓄積情報を、図２におけるアンテナ８を通して受信用ＲＦ部９中の遠方の無線タグの蓄積情報受信部１１で受信して取得する。
【００３８】
ステップ３１１においては、図２における制御部１５の管理手段１８で、遠方の無線タグＣ４の蓄積情報を取得した時の無線電波強度が所定の閾値を超えているかを認証し、超えている場合に取得情報ＯＫとする。取得情報ＯＫでない場合はステップ３１０に戻る。図１においては、通路における警備員６が遠方タグＣ４に接近することで取得情報ＯＫとなる。
【００３９】
ステップ３１２においては、取得情報ＯＫの場合で、図２における制御部１５の管理手段１８は、取得した遠方の無線タグＣ４の蓄積情報に日時を付けて取得情報保存部２０に保存する。
【００４０】
ステップ３１３においては、図２における制御部１５の転送手段１９で、取得情報保存部２０に保存した近接の無線タグＡと遠方の無線タグＣ４の蓄積情報を、データ転送部２１からデータ収集装置７（図１）に転送する。
【００４１】
ステップ３１４においては、終了条件が満たしたかを認証する。今、警備員は通路における警備員６の位置すなわちＣ地点に設置された遠方の無線タグＣ４に接近しているので、終了条件ＯＫとして終了とする。
【００４２】
本実施の形態では、遠方の無線タグＣ４から、最終ポイントを示す情報が遠方の無線タグＣ４の蓄積情報とともに送信されるので、図２におけるアンテナ８を通して受信用ＲＦ部９中の遠方の無線タグの蓄積情報受信部１１で受信して取得し、管理手段１８が取得したことを認識することで、終了条件ＯＫとして終了とする。また警備員が電源のＯＦＦ操作をして終了としてもよい。
【００４３】
本実施の形態によれば、一台の無線タグリーダが、近接の無線タグと遠方の無線タグの両方を読み取り且つデータ収集装置に転送するので、簡素で安価なシステムを達成することができる。
【００４４】
また、遠方の無線タグへ送信する電波を、近接の無線タグへ送信する電波より強い電波とするようにすれば、より確実に、遠方の無線タグを読み取ることができるようになり、実用的である。
【００４５】
また、近接の無線タグを起動させる電波と遠方の無線タグを起動させる電波を、異なる無線周波数で送信するようにすれば、より確実に、近接の無線タグと遠方の無線タグを区別して読み取ることができるようになり、実用的である。
【図面の簡単な説明】
【００４６】
【図１】本発明による無線タグリーダを含むシステムの例として警備員巡回システムの全体構成図である。
【図２】本発明による無線タグリーダの構成例を示す図である。
【図３】図１の警備員巡回システムにおける図１，図２の無線タグリーダの動作を示すフローチャート図である。
【符号の説明】
【００４７】
１：無線タグリーダ、２：近接の無線タグＡを内蔵した個人認証用ＩＤカード、３，４：通路に設置された遠方の無線タグＢ，遠方の無線タグＣ、５,６：通路を巡回する警備員、７：データ収集装置、８：アンテナ、９：受信用ＲＦ部、１０：近接の無線タグの蓄積情報受信部、１１：遠方の無線タグの蓄積情報受信部、１２：送信用ＲＦ部、１３：近接の無線タグ起動用電波送信部、１４：遠方の無線タグ起動用電波送信部、１５：制御部、１６：送信電波切換手段、１７：受信部切替手段、１８：管理手段、１９：転送手段、２０：取得情報保存部、２１：データ転送部。
【図１】
0004815946.tif 000002
【図２】
0004815946.tif 000003
【図３】
0004815946.tif 000004